【事件の表示】
　平成１０年特許願第　５４３６３号「弾球遊技機」拒絶査定不服審判事件〔平成１１年　８月２４日出願公開、特開平１１−２２６１８２〕について、次のとおり審決する。
【結　論】
　本件審判の請求は、成り立たない。
【理　由】
１．手続の経緯
　本願は、平成１０年２月１８日の出願であって、平成１３年２月２１日付けで拒絶査定がなされ、これに対し、同年３月２８日に拒絶査定に対する審判請求がなされるとともに、同年４月２７日付けで手続補正がなされたものである。
　
２．平成１３年４月２７日付けの手続補正についての補正却下の決定
［補正却下の決定の結論］
　平成１３年４月２７日付けの手続補正（以下、「本件補正」という。）を却下する。
［理由］
(1)補正後の本願発明
　本件補正により、特許請求の範囲は、次のとおりに補正された。
「【請求項１】遊技盤(9)に、遊技球を遊技盤(9)の上部側に案内する外レール(10)及び内レール(11)と、遊技領域(13)に配置された複数個の入賞手段(14)(17)(19)(20)と、遊技領域(13)の下部側に落下した遊技球を遊技盤(9)の裏側に誘導するアウト口(21)とを設け、アウト口(21)の上側近傍に位置し且つ遊技者に有利な特定状態のときに開放する入賞手段(20)に、遊技盤(9)の前側に装着された前飾り板(40)と、この前飾り板(40)の裏側に着脱自在に装着された後部機構体(28)とを設けた弾球遊技機において、前飾り板(40)を遊技盤(9)の遊技領域(13)の下部側を覆う大きさとし、前飾り板(40)の前側に、前方に突出する内レール(11)を一体に設け、前飾り板(40)の裏側に、後方に突出する補強枠(41)(42)と取り付けボスとを一体に設け、後部機構体(28)の取り付け板(48)を補強枠(41)(42)に裏側から当接させて取り付けボスにネジにより取り付け
、前飾り板(40)に、アウト口(21)を外周から取り囲むように、該前飾り板(40)から後方に突出する口縁部46を一体に形成し、この口縁部46を遊技盤(9)側の誘導孔(45)に嵌合し
　【請求項２】ないし【請求項５】（省略）。」。
　上記補正は、請求項１に記載した発明の「弾球遊技機」を「前飾り板(40)に、アウト口(21)を外周から取り囲むように、該前飾り板(40)から後方に突出する口縁部46を一体に形成し、この口縁部46を遊技盤(9) 側の誘導孔(45)に嵌合した」ものに限定するものであって、特許法第１７条の２第４項第２号に掲げる特許請求の範囲の減縮を目的とする。
　そこで、本件補正後の前記請求項１に記載された発明（以下、本願補正発明という。）が特許出願の際独立して特許を受けることができるものであるかについて以下検討する。
　
(2)刊行物の記載内容
　刊行物１：特開平７−２９９２２９号公報
　刊行物２：特開平９−２５３２８７号公報
　刊行物３：特開平８−１６８５５３号公報
　
　原査定の拒絶の理由に引用され本願出願前に頒布された刊行物１（特開平７−２９９２２９号公報）には、図面とともに、次のことが記載されている。
「【０００１】【産業上の利用分野】本発明は、遊技機の遊技盤に係わり、詳しくはいわゆる内バンドを樹脂により成形するとともに、そのバンド部に各種の表示を行う情報表示手段を配置した遊技機の遊技盤に関する。」、
「【００１６】
遊技盤の構成
図２は遊技盤１３を示す正面図である。遊技盤１３は樹脂製（例えば、プラスチック製）で、その前面側が遊技領域１０２になっている。遊技盤１３は樹脂製でなく、例えば木製の合板（ベニア）を素材としてもよい。遊技盤１３における遊技領域１０２は本発明の適用対象である遊技媒体として遊技球を使用するパチンコ遊技機であれば、任意の構成を取り得る。」、
「【００１７】遊技盤１３の表面には樹脂製の外バンド（打球案内部材、遊技領域区画部材）１１１が下端の左寄りから上部にかけて円弧状に固定されているとともに、外バンド１１１の内側（図中右側）には同じく樹脂製で円弧状の内バンド（遊技領域区画部材）１１２がその上端を開いた状態で横Ｃ字状に固定されている。・・・内バンド１１２は遊技盤取付部２３１（遊技盤への取り付け部に相当）とともに樹脂により一体的に成形され、３分割可能な構造になっている。・・・」、
「【００１８】ここで、遊技領域１０２について説明する。遊技領域１０２のほぼ中央部には回転振分け装置１２１が、回転振分け装置１２１の図中左側には一般入賞口１２２が、回転振分け装置１２１の図中右側には特定入賞装置１２３が、回転振分け装置１２１の直下には変動入賞装置１２４がそれぞれ配置されている。また、変動入賞装置１２４の左右両側には一般入賞口１２５、１２６、１２７、１２８が配置されている。」、
「【００２０】・・・特定入賞装置１２３には第３種始動口（図示略）が形成され、回転体のスプロケットに嵌入した玉が第３種始動口に入賞すると、変動入賞装置１２４が所定期間遊技者にとって有利な第２状態へと変動するようになっている。・・・遊技領域１０２の下方にはアウト玉回収口１４７が形成されている。」、
「【００２２】
内バンドの構造
内バンド１１２は図２に示すように、・・・バンド構造体２０１〜２０３の３つに分割可能な構造になっている。・・・バンド構造体２０１、２０３は左右区画部に相当し、バンド構造体２０２は下部区画部に相当する。」、
「【００２３】Ａ．バンド構造体２０１　
図３はバンド構造体２０１の表側の分解斜視図であり、・・・バンド構造体２０１は内バンド１１２、遊技盤取付部２３１とともに樹脂製で一体成形されている。・・・遊技盤取付部２３１は内バンド１１２を遊技盤１３に頑丈に取り付けるために、遊技盤１３との設置面を有して断面Ｌ字状になるように形成され、一定の大きさを有している。・・・」、
「【００３１】以上で、バンド構造体２０１について説明したので、次に、バンド構造体２０２について説明する。バンド構造体２０２の構成および遊技盤１３への取り付けはバンド構造体２０１の場合と同様であり、また、バンド構造体２０３についても同様である。
Ｂ．バンド構造体２０２
図４に示すように、バンド構造体２０２における内バンド１１２の表側には、パチンコ機１の前面に配置されるガラス１２ａ（前面クリア部材）に隣接して、このガラス１２ａに対してほぼ平行状態の表示プレート取り付け部（平面部）３０２が形成されている。表示プレート取り付け部３０２は内バンド１１２の配置に沿って円弧状をなし、その表側には各種情報を表示可能な表示プレート３０３（遊技店用機能表示手段）が配置されている。なお、図４において、３０４は変動入賞装置１２４を駆動するソレノイド、３０５は装飾ランプである。」。
　したがって、刊行物１には、「遊技盤に、遊技球を遊技盤の上部側に案内する外バンド１１１及び内バンド１１２と、遊技領域に配置された一般入賞口１２２、１２５ないし１２８、特定入賞装置１２３及び変動入賞装置１２４と、遊技領域の下部側に落下した遊技球を遊技盤の裏側に誘導するアウト玉回収口１４７とを設け、アウト玉回収口１４７の上側近傍に位置し且つ遊技者に有利な特定状態のときに開放する変動入賞装置１２４を設けた遊技機において、バンド構造体２０２の遊技盤取付部を遊技盤の遊技領域の下部側を覆う大きさとし、該遊技盤取付部の前側に、前方に突出する内バンド１１２を一体に設けた遊技機。」の発明が記載されていると認められる。
　
　同じく刊行物２（特開平９−２５３２８７号公報）には、図面とともに、次のことが記載されている。
「【０００１】【発明の属する技術分野】本発明は、取付板に開設した球入口に前後方向へ開閉自在な開閉扉をソレノイドと連係して設けてなるパチンコ機の入賞装置に関するものである。」、
「【０００３】【発明が解決しようとする課題】・・・本発明は、このような従来技術にみられる問題を解決することを目的とし、入賞装置を飾り部材と駆動部材とに分離形成したものを組み合わせて構成することによって作業性よく、しかも極めて容易に組み立てが完成できるようにすると共に、飾り部材と駆動部材とに分離して形成することで、入賞装置の表面のデザイン変更があっても飾り部材の交換のみによって容易にでき、しかもコストが低減できるようになる。」、
「【０００６】【発明の実施の形態】以下に本発明に係わるパチンコ機の入賞装置の実施の形態を図面と共に説明する。図１は本発明に係わる入賞装置の斜視図であり、図２はこの入賞装置１を構成する飾り部材２と駆動部材３との分解斜視図である。４は飾り部材２の主要部をなす遊技盤の表面に取り付けられる取付板であり、該取付板４の中央部分に横長の球入口５が開設され、・・・また、取付板４の裏面には球入口５を囲うように後面が開口した中空状の箱枠８が一体に形成され・・・ている。」、
「【０００７】駆動部材３は、前記箱枠８の後面に複数のねじによって取り付けられる前面を開口した中枠１１に各構成部材を組み付けることで構成される。・・・」、
「【０００９】・・・ソレノイド２０の励磁により遊技者にとって有利となる第１の状態の一例として開閉扉１２を開き、不利となる第２の状態として開閉扉１２を閉じて球入口５へのパチンコ球の受け入れを不可能にするものである。」、
「【００１２】以上のように入賞装置１は、飾り部材２と予め開閉扉１２とソレノイド２０を連係させた駆動部材３を分離形成し、駆動部材３の中枠１１を、飾り部材２の取付板４の裏面に突出形成した箱枠８内に嵌め込むだけで合体でき、中枠１１の周辺に穿設した各小孔３９と、箱枠８の周辺に設けられた各ビス孔４０にそれぞれビスを螺締することで一体に固着される。」。
そして、【図２】には、ビス孔４０を箱枠８と一体に設けたものが記載されている。
　
　本願出願前に頒布された刊行物３（特開平８−１６８５５３号公報）には、図面とともに、次のことが記載されている。
「【０００１】【産業上の利用分野】この発明はパチンコ機の遊技盤において、発射された遊技球を誘導して遊技盤面での遊技球の転動範囲を確定する球誘導機構に関する。」、「【００３１】遊技盤面１ａには遊技域３と、発射レール上から発射された遊技球が遊技域３へ打出されるまでに遊技球が通過する進入通路１８とを仕切った状態で外誘導レール１５の内方に進入通路１８を隔てて設置されて発射された遊技球を外誘導レール１５と協仂して遊技域３へ誘導する合成樹脂製の内誘導レール２０が取付けられている。」、
「【００３４】内誘導レール２０の下端部にはレール板２１の下端部の後端縁に一体状に連接されてこの下端部の後端縁の上方および下方へ突出され、アウト口１９の一部を覆った状態で１対のねじ２９によって遊技盤面１ａに締結されたアウト口カバー板２２がアウト口１９に対向して形成されている。【００３５】アウト口カバー板２２の中央部付近にはレール板２１の下端部の上側に配設されてアウト口１９に連通された開口部２２ａが開設され、アウト口カバー板２２の後面には上部が開口部２２ａの開口縁に連接されて全体がアウト口１９内に嵌め込まれた無端状の突条２２ｂが突設されている。」。
　
(3)対比
　そこで、本願補正発明と刊行物１記載の発明とを対比すると、刊行物１記載の発明の「外バンド１１１」、「内バンド１１２」、「一般入賞口１２２、１２５ないし１２８、特定入賞装置１２３及び変動入賞装置１２４」、「アウト玉回収口１４７」、「変動入賞装置１２４」、「遊技盤取付部」、「遊技機」は、それぞれ本願補正発明の「外レール」、「内レール」、「入賞手段」、「アウト口」、「アウト口の上側近傍に位置し且つ遊技者に有利な特定状態のときに開放する入賞手段」、「前飾り部」、「弾球遊技機」に相当するから、両者は、
「遊技盤に、遊技球を遊技盤の上部側に案内する外レール及び内レールと、遊技領域に配置された複数個の入賞手段と、遊技領域の下部側に落下した遊技球を遊技盤の裏側に誘導するアウト口とを設け、アウト口の上側近傍に位置し且つ遊技者に有利な特定状態のときに開放する入賞手段を設けた弾球遊技機において、前飾り板を遊技盤の遊技領域の下部側を覆う大きさとし、前飾り板の前側に、前方に突出する内レールを一体に設けた弾球遊技機。」である点で一致し、次の各点で相違する。
（相違点１）
　本願補正発明が「入賞手段に、遊技盤の前側に装着された前飾り板と、この前飾り板の裏側に着脱自在に装着された後部機構体とを設けた」ものであるのに対し、刊行物１記載の発明はこのような構成が明らかでない点。
（相違点２）
　本願補正発明が「前飾り板の裏側に、後方に突出する補強枠と取り付けボスとを一体に設け、後部機構体の取り付け板を補強枠に裏側から当接させて取り付けボスにネジにより取り付け」たのに対し、刊行物１記載の発明はこのような構成が明らかでない点。
（相違点３）
　本願補正発明が、「前飾り板に、アウト口を外周から取り囲むように、該前飾り板から後方に突出する口縁部を一体に形成し、この口縁部を遊技盤側の誘導孔に嵌合」したのに対し、刊行物１記載の発明はこのような構成が明らかでない点。
　
(4)判断
　上記相違点１を検討すると、例えば、上記刊行物２には、弾球遊技機（パチンコ機）において、前飾り板（飾り部材２）と、この前飾り板の裏側に着脱自在に装着された後部機構体（駆動部材３）が記載されており、刊行物１記載の発明において、上記相違点１の本願補正発明に係る構成とすることは、当業者であれば容易になし得ることである。
　上記相違点２を検討すると、例えば、上記刊行物２には、弾球遊技機（パチンコ機）において、前飾り板（飾り部材２）の裏側に、後方に突出する補強枠（箱枠８)と取り付けボス（ビス孔４０）とを一体に設け、後部機構体（駆動部材３）の取り付け板を補強枠（箱枠８)に裏側から当接させて取り付けボス（ビス孔４０）にネジにより取り付けることが記載されており、その他、補強枠と取り付けボスとを一体にすることは、特開平８−１１７４２２号公報、特開平９−１８００４２号公報及び特開昭６１−２１３５８３号公報等に記載されているように周知であるから、刊行物１記載の発明において、上記相違点２の本願補正発明に係る構成とすることは、当業者であれば容易になし得ることである。
　上記相違点３を検討すると、上記刊行物３には、アウト口カバー板２２に、アウト口（開口部２２ａ）を外周から取り囲むように、前記アウト口カバー板から後方に突出する口縁部（無端状の突状２２ｂ参照）を一体に形成し、この口縁部を遊技盤１側の誘導孔（アウト口１９）に嵌合したものが記載されており、刊行物１記載の発明において、上記相違点３の本願補正発明に係る構成とすることは、当業者であれば容易になし得ることである。
　そして、本願補正発明としたことによる作用効果も当業者であれば当然予想できる範囲内のものである。
　したがって、本願補正発明は、刊行物１及び３記載の発明及び周知技術に基いて当業者が容易に発明をすることができたものであるから、特許法第２９条第２項の規定により特許出願の際独立して特許を受けることができないものである。
　
(5)むすび
　以上のとおり、本件補正は、平成１５年改正前特許法第１７条の２第５項において準用する同法第１２６条第４項の規定に違反するものであり、特許法第１５９条第１項において読み替えて準用する特許法第５３条第１項の規定により却下されるべきものである。
　
３．本願発明について
　平成１３年４月２７日付けの手続補正は上記のとおり却下されたので、本願の請求項１に係る発明（以下、本願発明という。）は、平成１３年１月２６日付け手続補正書の特許請求の範囲の請求項１に記載された事項により特定される、以下のとおりのものである。　　
「【請求項１】
遊技盤(9)に、
、遊
配置された
とき
、前
、前方に突出する
、前飾り板(40)の裏側に、後方に突出する補強枠(41)(42)と取り付けボスとを一体に設け、後部機構体(28)の取り付け板(48)を補強枠(41)(42)に裏側から当接させて取り付けボスにネジにより取り付け
　【請求項２】ないし【請求項５】（省略）。」。
　
(1)刊行物の記載内容
　原査定に引用され本願出願前に頒布された刊行物１ないし３及びその記載事項は、前記「２．(2)」に記載したとおりである。
　
(2)対比・判断
　本願発明は、前記「２．」で検討した本願補正発明から、「飾り板に、アウト口を外周から取り囲むように、該前飾り板から後方に突出する口縁部を一体に形成し、この口縁部を遊技盤側の誘導孔に嵌合」するとの構成（上記相違点３の本願補正発明に係る構成）を省いたものである。
　そこで、本願発明と上記刊行物１記載の発明とを対比すると、両者は、上記「２．」記載の一致点並びに相違点１及び２を有するが、相違点１及び２は上記「２．(4)」において検討したとおりであるから、本願発明は、上記刊行物１記載の発明及び周知技術に基いて当業者が容易に発明をすることができたものである。
　
(3)むすび
　以上のとおり、本願発明は、特許法第２９条第２項の規定により特許を受けることができないから、本願の他の請求項に係る発明を検討するまでもなく、本願は拒絶をすべきものである。
　よって、結論のとおり審決する。